(57)【要約】【課題】  絞り出すときに内容物が容器の内部で逆流することを防止し、内容物の絞り出しを容易にし、さらに計量手段を有する容器として使用することができる柔軟パックを提供する。【解決手段】  第一可撓性シート２と第二可撓性シート３を対向させ、第一可撓性シート２と第二可撓性シート３の周縁部をスパウト４を残して接着してなるスパウトパック１において、スパウトパック１の収容空間をスパウト側室５と反スパウト側室６に仕切る逆流防止弁７を有し、逆流防止弁７は近位縁部７ａと遠位縁部７ｂと本体部７ｃとを有し、近位縁部７ａは第一可撓性シート２に接続し、本体部７ｃは近位縁部７ａからスパウト側に向かって延在してスパウト側室５と反スパウト側室６の隔壁をなし、遠位縁部７ｂは第二可撓性シート３に摺接する。【選択図】  図１
2006111273.tif 000002
【特許請求の範囲】
【請求項１】
ほぼ同一形状の第一可撓性シートと第二可撓性シートを対向させ、前記第一可撓性シートと第二可撓性シートの周縁部をスパウトを残して接着してなるスパウトパックにおいて、
スパウトパックの収容空間をスパウト側室と反スパウト側室に仕切る逆流防止弁を有し、
前記逆流防止弁は近位縁部と遠位縁部と本体部とを有し、前記近位縁部は前記第一可撓性シートに接続し、前記本体部は前記近位縁部からスパウト側に向かって延在して前記スパウト側室と反スパウト側室の隔壁をなし、前記遠位縁部は前記第二可撓性シートに摺接する、ことを特徴とする逆流防止弁を有するスパウトパック。
【請求項２】
前記逆流防止弁は、前記第一可撓性シートの一部をひだ状に折り曲げたものからなることを特徴とする請求項１に記載の逆流防止弁を有するスパウトパック。
【請求項３】
収容空間を内包する可撓性シートを有し、前記可撓性シートの一部に前記収容空間と外部空間とを連通させるノズル手段を設けられた柔軟パックにおいて、
前記収容空間をノズル側室と反ノズル側室に仕切る逆流防止弁を有し、
前記逆流防止弁は近位縁部と遠位縁部と本体部を有し、前記近位縁部は前記可撓性シートの一部と接続し、前記本体部は前記近位縁部から前記ノズル手段側に向かって延在して前記ノズル側室と反ノズル側室の隔壁をなし、前記遠位縁部は前記可撓性シートに摺接する、ことを特徴とする逆流防止弁を有する柔軟パック。
【請求項４】
収容空間を内包する可撓性シートを有し、前記可撓性シートの一部に前記収容空間と外部空間とを連通させるノズル手段を設けられた柔軟パックにおいて、
前記収容空間をノズル側室と反ノズル側室に仕切る逆流防止弁を有し、
前記逆流防止弁は近位縁部と遠位縁部と本体部を有し、前記近位縁部は前記可撓性シートの一部と接続し、前記本体部は前記近位縁部から前記ノズル手段側に向かって延在して前記ノズル側室と反ノズル側室の隔壁をなし、前記遠位縁部は一部に逆流防止流路を残して前記可撓性シートに接着されている、ことを特徴とする逆流防止弁を有する柔軟パック。
【請求項５】
前記ノズル手段はスパウトからなることを特徴とする請求項３または４に記載の逆流防止弁を有する柔軟パック。
【請求項６】
前記逆流防止流路は、前記逆流防止弁と前記可撓性シートの弾性により、圧力がかかっていないときは自律的に閉じる流路からなることを特徴とする請求項４または５に記載の逆流防止弁を有する柔軟パック。
【発明の詳細な説明】
【技術分野】
【０００１】
本発明は、合成樹脂製のシートあるいは可撓性のラミネートシートを接着して形成し、内部に流体等を収容し、内容物の量によって外形が変化し、内容物を出すときは外部から圧力をかけて内容物を押し出すようにする柔軟パックに関する。
【０００２】
特に、本発明は、内部に逆流防止弁を有し、内容物の絞り出しを容易にし、計量等にも使用できる柔軟パックに関する。
【０００３】
なお、逆流防止弁は、逆流防止弁の弁体および逆流防止弁に付随する逆流防止流路等を含めたものである。
【背景技術】
【０００４】
合成樹脂製シートや合成樹脂の薄いシートと金属の薄いシートを積層したラミネートシートを接着して形成した柔軟パックは広く知られている。
【０００５】
本発明が適用できるタイプの柔軟パックとしては、限定されることなく、スパウトパック、エンベロップ型パック、マチ付きのエンベロップ型パック、筒状パック等がある。
【０００６】
スパウトパックは、２枚の合成樹脂製シートの周縁部を互いに接着し、接着していない中央部は互いに離開することができ、その空間に流体等を収容できるようにしたものである。
【０００７】
スパウトパックの互いに接着された周縁部の一部には、流路状に接着されていない部分が残されている。この接着されていない流路部分はスパウトと呼ばれ、内容物に圧力がかかっている場合には押し開かれて内容物を通し、内容物に圧力がかかっていない場合には合成樹脂製シートの弾力によって自動的に閉じるようになっている。
【０００８】
スパウトパックは、内容物の流体の量によって変形することができ、使用者が内容物を出すときは、スパウトパックの外部からスパウトパックに圧力をかけて内容物を絞り出すようにする。
【０００９】
エンベロップ型パックは、扁平形状に合成樹脂製シートやラミネートシートを接着して形成した容器である。
【００１０】
エンベロップ型パックも好ましくは流体等からなる内容物を収容でき、外部から圧力をかけることによって内容物を絞り出すようにする。
【００１１】
マチ付きエンベロップ型パックは、扁平形状に合成樹脂製シートを接着形成し、周縁部にはマチがついており、大きな容量の内容物を収容することができるようになっている。
【００１２】
マチ付きエンベロップ型パックも好ましくは流体等からなる内容物を収容でき、内容物の量によって柔軟に変形でき、外部から圧力をかけることによって内容物を絞り出すようにする。
【００１３】
筒状パックは、たとえば歯磨きチューブのように、合成樹脂製シートあるいはラミネートシートを筒状に接着形成し、片側の端部を接着閉鎖し、他方の端部にノズル手段（ノズル、ノズル周縁の鍔部、蓋等）を設けた容器である。
【００１４】
筒状パックも、好ましくは流体等からなる内容物を収容でき、内容物の量によって外形が変化し、外部から圧力をかけることによって内容物を絞り出すようにする。
【００１５】
先行技術文献
本願発明は、柔軟パックについて本願発明者が独自に考案した逆流防止弁を有するものである。本願出願人が知る限り、従来において、本願発明の先行技術を示す文献は存在しない。
【発明の開示】
【発明が解決しようとする課題】
【００１６】
上記従来の柔軟パックは、いずれも内部に好ましい例では流体等の内容物を収容でき、内容物の量に応じて外形が変形し、内容物を出すときは柔軟パックの外部から柔軟パックに圧力をかけて内容物を押し出すようにする。
【００１７】
しかし、従来の柔軟パックは、特に使用の最終段階等では、内容物を完全に押し出そうとすると、内容物が容器の内部で流動し、内容物の最後の分を完全に押し出すことが困難であった。
【００１８】
また、従来の柔軟パックは、一定の量の内容物を絞り出すときは、使用者が圧力を加減し、目分量で一定量の内容物を絞り出すようにしていた。
【００１９】
これに対して、客観的に定められた一定量の内容物を絞り出すことができる柔軟パックがあれば種々の用途に利用することができることが予想され、定められた一定量の内容物を絞り出すことができる柔軟パックに対する要求があった。
【００２０】
そこで、本発明が解決しようとする課題は、絞り出すときに内容物が容器の内部で逆流することを防止し、内容物の絞り出しを容易にし、さらに計量手段を有する容器として使用することができる柔軟パックを提供することにある。
【課題を解決するための手段】
【００２１】
本発明に係る逆流防止弁を有するスパウトパックは、
ほぼ同一形状の第一可撓性シートと第二可撓性シートを対向させ、前記第一可撓性シートと第二可撓性シートの周縁部をスパウトを残して接着してなるスパウトパックにおいて、
スパウトパックの収容空間をスパウト側室と反スパウト側室に仕切る逆流防止弁を有し、
前記逆流防止弁は近位縁部と遠位縁部と本体部とを有し、前記近位縁部は前記第一可撓性シートに接続し、前記本体部は前記近位縁部からスパウト側に向かって延在して前記スパウト側室と反スパウト側室の隔壁をなし、前記遠位縁部は前記第二可撓性シートに摺接する、ことを特徴とするものである。
【００２２】
前記逆流防止弁は、前記第一可撓性シートの一部をひだ状に折り曲げたものからなるようにすることができる。
【００２３】
本発明に係る逆流防止弁を有する柔軟パックは、
収容空間を内包する可撓性シートを有し、前記可撓性シートの一部に前記収容空間と外部空間とを連通させるノズル手段を設けられた柔軟パックにおいて、
前記収容空間をノズル側室と反ノズル側室に仕切る逆流防止弁を有し、
前記逆流防止弁は近位縁部と遠位縁部と本体部を有し、前記近位縁部は前記可撓性シートの一部と接続し、前記本体部は前記近位縁部から前記ノズル手段側に向かって延在して前記ノズル側室と反ノズル側室の隔壁をなし、前記遠位縁部は前記可撓性シートに摺接する、ことを特徴とするものである。
【００２４】
本発明に係る逆流防止弁を有する柔軟パックは、
収容空間を内包する可撓性シートを有し、前記可撓性シートの一部に前記収容空間と外部空間とを連通させるノズル手段を設けられた柔軟パックにおいて、
前記収容空間をノズル側室と反ノズル側室に仕切る逆流防止弁を有し、
前記逆流防止弁は近位縁部と遠位縁部と本体部を有し、前記近位縁部は前記可撓性シートの一部と接続し、前記本体部は前記近位縁部から前記ノズル手段側に向かって延在して前記ノズル側室と反ノズル側室の隔壁をなし、前記遠位縁部は一部に逆流防止流路を残して前記可撓性シートに接着されている、ことを特徴とするものである。
【００２５】
前記ノズル手段はスパウトからなるようにすることができる。
【００２６】
前記逆流防止流路は、前記逆流防止弁と前記可撓性シートの弾性により、圧力がかかっていないときは自律的に閉じる流路からなるようにすることができる。
【発明の効果】
【００２７】
本発明によれば、逆流防止弁が近位縁部と遠位縁部と本体部を有し、近位縁部は可撓性シートの一部と接続し、本体部は近位縁部からノズル手段側に向かって延びてノズル側室と反ノズル側室の隔壁をなし、遠位縁部は可撓性シートと摺接するようになっている。
【００２８】
これにより、反ノズル側室に圧力がかかると、内容物は逆流防止弁を押し上げて逆流防止弁の遠位縁部と可撓性シートの摺接部の間を通ってノズル側室に流れる。
【００２９】
一方、ノズル側室に圧力がかかると、圧力は逆流防止弁を押し下げて遠位縁部と可撓性シートの摺接部を密着させる。これにより、ノズル側室に圧力がかかったときは、逆流防止弁の遠位縁部は可撓性シートの内面に密着させられ、ノズル側室から反ノズル側室への流体の流れを防止する。
【００３０】
本発明の柔軟パックによれば、内容物の流体は反ノズル側室からノズル側室にしか流れないので、反ノズル側室を大容量の主収容室、ノズル側室を小容量で絞りやすい形状の副収容室に形成することにより、使用の最終段階において使用者は内容物を小容量で絞りやすい形状の副収容室であるノズル側室に押し込み、次にノズル側室に圧力をかけることによって、内容物の最後の部分を容易に押し出すことができる。
【００３１】
これにより、容易かつ完全に内容物を取り出すことができる柔軟パックを得ることができる。
【００３２】
なお、ノズル手段は、スパウトパック、通常のノズル、導管付きのノズル、歯磨きチューブにおける剛性の鍔部、蓋等を含めた内容物を取り出す口の上位概念である。
【００３３】
本発明の柔軟パックによれば、計量機能を有する柔軟パックを得ることができる。
【００３４】
上述したとおり、本発明によれば、逆流防止弁を有していることにより、内容物の流体は反ノズル側室からノズル側室にしか流れない。
【００３５】
そこで、ノズル手段を好ましくはある程度の圧力に耐えて内容物を収容できるものにし、ノズル側室を所望の容量に設定することにより、反ノズル側室に圧力をかけると、反ノズル側室からノズル側室に前記所望の一定量の内容物が流れ、次に、ノズル手段を開放し、ノズル側室に圧力をかければ前記一定量の内容物を取り出すことができる。
【００３６】
これにより、本発明の柔軟パックによれば、容易に計量機能を有する柔軟パックを得ることができる。
【発明を実施するための最良の形態】
【００３７】
以下に本発明の実施の形態について説明する。
【００３８】
図１は、本発明の一実施形態による「逆流防止弁を有する柔軟パック」の構成を示している。
【００３９】
本実施形態による柔軟パック１はスパウトパックであるが、スパウトを有する柔軟パックに限られず、蓋を有する通常のノズル手段を有する柔軟パックにそのまま適用することができる。
【００４０】
本実施形態の柔軟パック１（スパウトパック１）は、ほぼ同一形状（図１の例では矩形）の第一合成樹脂製シート２と第二合成樹脂製シート３とを対向させ、第一合成樹脂製シート２と第二合成樹脂製シート３の周縁部を、スパウト４の部分を残して互いに接着したものである。
【００４１】
第一合成樹脂製シート２と第二合成樹脂製シート３の中央部は、互いに離開することができるようになっており、その間の空間（収容空間）に流体等を収容できるようになっている。
【００４２】
第一合成樹脂製シート２と第二合成樹脂製シート３は合成樹脂製に限られず、ラミネートシート等可撓性シートとすることができる。
【００４３】
スパウトパック１は収容空間をスパウト側室５と反スパウト側室６に仕切る逆流防止弁７を有している。
【００４４】
逆流防止弁７は、近位縁部７ａと遠位縁部７ｂと本体部７ｃとを有している。
【００４５】
ここで、図２をも参照しながら説明する。
【００４６】
図２は、スパウトパック１を縦に切断して横方向から見たところを示したものである。
【００４７】
図２に分かりやすく示されているように、逆流防止弁７の近位縁部７ａは、第一合成樹脂製シート２に接続しており、逆流防止弁７の本体部７ｃは近位縁部７ａからスパウト４の側に向かって延在し、その先端部の遠位縁部７ｂは、第二合成樹脂製シート３に摺接している。
【００４８】
逆流防止弁７は、スパウトパック１の収容空間をスパウト側室５と反スパウト側室６に仕切るようになっていなければならない。すなわち、逆流防止弁７は、本体部７ｃがスパウト側室５と反スパウト側室６となり、近位縁部７ａと遠位縁部７ｂが全体としてスパウト側室５と反スパウト側室６のシール線となって、スパウト側室５と反スパウト側室６を完全に隔離するようになっている。
【００４９】
遠位縁部７ｂは、逆流防止弁７が収容空間をスパウト側室５と反スパウト側室６に仕切る状態を維持しつつ、第二合成樹脂製シート３に摺接するようになっている。
【００５０】
スパウトパック１は、内容物の多少により、第一合成樹脂製シート２と第二合成樹脂製シート３の間の距離が離れたり、近づいたりする。
【００５１】
しかし、逆流防止弁７の遠位縁部７ｂは、第一合成樹脂製シート２と第二合成樹脂製シート３がもっとも離れているときも第二合成樹脂製シート３に摺接するようになっていなければならない。
【００５２】
また、逆流防止弁７が反スパウト側室６からスパウト側室５への流れのみを許し、その反対方向の内容物を阻むようになっているためには、逆流防止弁７は近位縁部７ａからスパウト４の側に向かって延在していなければならない。
【００５３】
図２を参照すると明らかなように、スパウト側室５に圧力がかかったときは、逆流防止弁７は図２でいう下方に揺動しようとし、遠位縁部７ｂは柔軟パック１の内側からの圧力を受けて第二合成樹脂製シート３に密着するのである。遠位縁部７ｂと第二合成樹脂製シート３の密着により、スパウト側室５から反スパウト側室６に向かう流体の流れが阻まれる。
【００５４】
なお、逆流防止弁７は、スパウト側室５に圧力がかかったときに、圧力に負けて屈曲し、近位縁部７ａから反スパウト側、すなわち図２の下方に曲がってしまわない程度の剛性を有することが好ましい。
【００５５】
反スパウト側室６に圧力がかかったときは、逆流防止弁７の遠位縁部７ｂは圧力によって浮上し、流体は遠位縁部７ｂと第二合成樹脂製シート３の摺接部の間からスパウト側室５に流れる。
【００５６】
これにより、本実施形態のスパウトパック１は、内容物が反スパウト側室６からスパウト側室５には流れ、スパウト側室５から反スパウト側室６には流れない。
【００５７】
図２に例示するように、逆流防止弁７は、第一合成樹脂製シート２の一部を折り曲げて形成することができる。
【００５８】
すなわち、第一合成樹脂製シート２の一部をひだ状に折り曲げて逆流防止弁７を形成し、その後に第一合成樹脂製シート２と第二合成樹脂製シート３の周縁部を接着することができる。ひだ状に折り曲げた第一合成樹脂製シート２の間も接着剤等により接着するのが好ましい。
【００５９】
本実施形態の柔軟パック１は、内容物が反スパウト側室６からスパウト側室５にのみ流れので、内容物をスパウト側室５に移した後は内容物が再び反スパウト側室６に流出しない。これにより、内容物を反スパウト側室６からスパウト側室５にいったん移せば、スパウト側室５は相対的に容量が小さく、内部での内容物の流動が少ないので容易に絞り出すことができる。特に、スパウト側室５を相対的に小さくて絞りやすい形状にすることにより、使用の最終段階において、内容物の最後の部分をスパウト側室５に移動させ、容易に且つ完全に取り出すことができる。
【００６０】
図３は、本発明の第二の実施形態による柔軟パック８（柔軟パック８はスパウトを有しているスパウトパックとノズルを有する柔軟パックの双方を含む広い概念である）を示している。
【００６１】
図３において、図１，２と同一の部分には図１，２と同一の符号を付して重複する説明を省略する。
【００６２】
本実施形態の柔軟パック８は、逆流防止弁７の遠位縁部７ｂが、逆流防止流路９を残して第二合成樹脂製シート３に接着されている点で本発明第一実施形態の柔軟パック１と異なる。
【００６３】
柔軟パック８の逆流防止弁７は、近位縁部７ａが第一合成樹脂製シート２に接続され、本体部７ｃが近位縁部７ａからスパウト４側に向かって延びてスパウト側室５と反スパウト側室６の隔壁を成し、その先端部の遠位縁部７ｂが逆流防止流路９を除いて第二合成樹脂製シート３に接着されている。
【００６４】
柔軟パック８は、反スパウト側室６に圧力がかかったときは、流体は逆流防止流路９を押し開けるように作用し、流体は逆流防止流路９を通ってスパウト側室５側に流入する。
【００６５】
反対に、柔軟パック８のスパウト側室５に圧力がかかったときは、流体は逆流防止流路９を含む遠位縁部７ｂを第二合成樹脂製シート３に向かって押しつけ、逆流防止流路９を閉じさせるように作用する。これにより、スパウト側室５に圧力がかかっても、流体はスパウト側室５に閉じこめられ、反スパウト側室６に流れることがない。
【００６６】
柔軟パック８は、第一実施形態の柔軟パック１に比して、逆流防止弁７の遠位縁部７ｂが接着されているので、本体部７ｃの剛性は要求されない。逆に、逆流防止弁７の本体部７ｃを柔軟な薄膜にすることにより、内容物が減少した場合に、柔軟パック８の外形が容易に変形して嵩張らないようにすることができる。
【００６７】
柔軟パック８の逆流防止弁７の逆流防止流路９は、自律的に閉じる流路にすることができる。
【００６８】
この場合、逆流防止弁７の遠位縁部７ｂと第二合成樹脂製シート３のいずれか一方、好ましくは双方が、弾性的に湾曲および復元する材質を有するようにする。逆流防止弁７の遠位縁部７ｂと第二合成樹脂製シート３を接着するときは、逆流防止流路９は接着しないが力がかかっていない状態では閉じているように、遠位縁部７ｂと第二合成樹脂製シート３を接着する。
【００６９】
この逆流防止流路９によれば、反スパウト側室６に圧力がかかっているときは、その圧力によって流路が押し開かれるが、圧力が取り除かれたときは、遠位縁部７ｂと第二合成樹脂製シート３の復元力によって流路を閉じる。
【００７０】
本実施形態によれば、スパウト側室５に圧力がかからなくても逆流防止流路９が閉じるので、スパウト側室５にわずかな圧力がかかった場合の逆流を防止することができる。たとえば、反スパウト側室６からスパウト側室５に内容物を移した後に柔軟パック８を置いたような場合に、逆流防止流路９が自律的に閉じられるので、スパウト側室５から反スパウト側室６に逆流することを防止することができる。
【００７１】
図４と図５は、計量手段付きの柔軟パックの第三実施形態を示している。
【００７２】
図４は本実施形態の柔軟パックの一部を切断した斜視図、図５は本実施形態の柔軟パックを縦方向に切断し、横方向からみた縦断面図である。
【００７３】
計量手段付きの柔軟パックとして使用する場合、図４に示すように、閉鎖可能なノズル手段を有するのが好ましい。
【００７４】
図４に示す柔軟パック１０は、マチ付きのエンベロップ型柔軟パックであるが、計量手段付きの柔軟パックは任意の形態の柔軟パックとすることができる。
【００７５】
本実施形態の柔軟パック１０は、同一形状（図４の例では矩形）の第一可撓性シート１１と第二可撓性シート１２とを対向させ、その間にマチ部分を形成する第三可撓性シート１３を配置し、図４に示すように、第一可撓性シート１１と第二可撓性シート１２、あるいは、第二可撓性シート１２と第三可撓性シート１３、あるいは第一可撓性シート１１と第三可撓性シート１３の周縁部を接着して形成される。
【００７６】
第三可撓性シート１３は、内容物が多い場合は伸張し、内容物が少ない場合は折りたためるようにする。
【００７７】
可撓性シートは全体として可撓性を有していればよく（弾性復元力は必須ではない）、合成樹脂製シートの他、合成樹脂と種々の材料のラミネートシートを採用することができる。
【００７８】
柔軟パック１０は、第一可撓性シート１１と第二可撓性シート１２の接着部分に収容空間と外部空間とを連通させるノズル手段１４が設けられている。
【００７９】
ノズル手段１４は、任意のノズルにすることができるが、本実施形態では第一可撓性シート１１と第二可撓性シート１２の接着部分を貫挿するチューブと、該チューブの上方に螺着される蓋とからなる。
【００８０】
本実施形態の柔軟パック１０の逆流防止弁１５は、第二実施形態の逆流防止弁と同様の遠位縁部を接着する構成をとる。しかし、逆流防止弁１５は、遠位縁部が摺接する構成をとってもよい。
【００８１】
逆流防止弁１５は、近位縁部１５ａと遠位縁部１５ｂと本体部１５ｃを有し、近位縁部１５ａが第一可撓性シート１１に接続され、本体部１５ｃが近位縁部１５ａからノズル手段１４側に向かって延びてノズル側室１６と反ノズル側室１７の隔壁を成し、その先端部の遠位縁部１５ｂが逆流防止流路１８を除いて第二可撓性シート１２に接着されている。
【００８２】
第三可撓性シート１３との関係は、第三可撓性シート１３と隣接する逆流防止弁１５の部分は第三可撓性シート１３に接着されるのが好ましい。
【００８３】
逆流防止流路１８は、好ましくは限定されることなく弾性的復元力によって自律的に閉じる流路とする。
【００８４】
本体部１５ｃは、好ましくは柔軟な薄膜部材とする。
【００８５】
ノズル側室１６は、膨満した状態で所望の一定量となるように予め設定される。
【００８６】
本実施形態において計量するときは、ノズル側室１６から空気を追い出してノズル手段１４を閉鎖した状態にし、反ノズル側室１７に圧力をかける。反ノズル側室１７にかかった圧力によって逆流防止流路１８が押し開かれ、内容物が反ノズル側室１７からノズル側室１６に移動し、ノズル側室１６を充満する。次にノズル手段１４を開放し、反ノズル側室１７に圧力をかければ、内容物は反ノズル側室１７に逆流することができず、ノズル手段１４を通って外部に押し出される。
【００８７】
ノズル側室１６は、予め定められた一定量の容量を有しているので、上記操作により、所望の一定量の内容物を取り出すことができる。
【００８８】
以上で本発明の実施形態の説明を終了するが、本発明は本発明の趣旨から乖離することなく上記実施形態の種々の変形をなし得る。
【００８９】
上記実施形態では、スパウトパックとマチ付きのエンベロップ型パックの容器にスパウトと蓋付きの貫挿チューブを取り付けたもので説明したが、柔軟パックは任意の形状を有することができ、要するに収容空間を内包する可撓性シートを有し、その可撓性シートの一部に任意の公知のノズル手段を有していればよい。
【００９０】
また、逆流防止弁の遠位縁部が対向する面の可撓性シートに摺接あるいは接着されている例で説明したが、逆流防止弁の本体部がノズル側室と反ノズル側室の隔壁を成すことが構成要件であり、近位縁部を除く逆流防止弁の周縁部は隣接する可撓性シートと摺接あるいは接着される。
【図面の簡単な説明】
【００９１】
【図１】本発明の第一実施形態による柔軟パックの一部を切断して示した斜視図。
【図２】本発明の第一実施形態による柔軟パックの縦断面図。
【図３】本発明の第二実施形態による柔軟パックの一部を切断して示した斜視図。
【図４】本発明の第三実施形態による柔軟パックの一部を切断して示した斜視図。
【図５】本発明の第三実施形態による柔軟パックの縦断面図。
【符号の説明】
【００９２】
１  柔軟パック
２  第一合成樹脂製シート
３  第二合成樹脂製シート
４  スパウト
５  スパウト側室
６  反スパウト側室
７  逆流防止弁
７ａ  近位縁部
７ｂ  遠位縁部
７ｃ  本体部
８  柔軟パック
９  逆流防止流路
１０  柔軟パック
１１  第一可撓性シート
１２  第二可撓性シート
１３  第三可撓性シート
１４  ノズル手段
１５  逆流防止弁
１５ａ  近位縁部
１５ｂ  遠位縁部
１５ｃ  本体部
１６  ノズル側室
１７  反ノズル側室
【図１】
2006111273.tif 000003
【図２】
2006111273.tif 000004
【図３】
2006111273.tif 000005
【図４】
2006111273.tif 000006
【図５】
2006111273.tif 000007